(57)【要約】【課題】合成樹脂管の補修作業について、リペアサドルと合成樹脂管との融着の良否を容易に判定することができる閉塞部材と、リークチェッカーを提供する。【解決手段】合成樹脂管１０の穿孔穴１１に挿入して穿孔穴１１を閉塞するための閉塞部材１は、この挿入方向に形成された貫通孔３ａを有しその外周面に非磁性体の弾性部材からなる外側栓体２を装着した非磁性体からなる拡径部材３と、拡径部材３に形成された貫通孔３ａ内に、磁性体からなる部材を備えるとともに貫通孔３ａに沿って移動可能に配設された内側栓体４を備えている。内側栓体４が貫通孔３ａ内の所定の位置に挿入されていると、閉塞部材１は、合成樹脂管１０の管内が貫通孔３ａを介して閉塞部材１の外側との連通を遮断し、閉塞部材１に磁力を作用させて内側栓体４を移動させるとこの遮断を解除するようにしている。【選択図】図６
2010106954.tif 000002
【特許請求の範囲】
【請求項１】
合成樹脂管に穿孔された穿孔穴に挿入して該穿孔穴を閉塞するための閉塞部材であって、前記閉塞部材は、
前記挿入方向に形成された貫通孔を有するとともに、外周面に非磁性体の弾性部材からなる外側栓体を装着する非磁性体からなる拡径部材と、
前記拡径部材に形成された前記貫通孔内に、磁性体からなる部材を備えるとともに前記貫通孔に沿って移動可能に配設された内側栓体と、
前記内側栓体が前記貫通孔内の所定の位置に挿入されているときに、前記拡径部材と前記内側栓体は、前記合成樹脂管の管内が前記貫通孔を介して前記穿孔穴に挿入された前記閉塞部材の外側との連通を遮断するための手段を形成するようになされていることを特徴とする閉塞部材。
【請求項２】
前記内側栓体は、前記貫通孔に挿入される栓体部と、栓体部の一方の端部に結合された吸着プレート部を備え、前記吸着プレート部は磁性体から構成されていることを特徴とする請求項１に記載の閉塞部材。
【請求項３】
前記貫通孔に挿入された前記内側栓体は、前記内側栓体を前記合成樹脂管方向に移動させる付勢力を付与するための付勢手段を備えていることを特徴とする請求項１に記載の閉塞部材。
【請求項４】
合成樹脂管に穿孔された穿孔穴に挿入された前記請求項１から請求項３のいずれかに記載の前記閉塞部材に磁力を作用させるためのリークチェッカーであって、
合成樹脂管に固着されたリペアサドルの外側突出部に装着可能な凹状空間部と、
永久磁石を配設した回転磁石体と、
前記回転磁石体を固着した回転軸を回転可能に支持する軸受部を備え、
前記回転軸の回転に基づいて、前記回転磁石体に配設された前記永久磁石からの磁力を、前記リペアサドルを介して前記穿孔穴に挿入された前記閉塞部材に作用させるようになされていることを特徴とするリークチェッカー。
【請求項５】
前記回転磁石体は、ラジアル異方性を備えたリング状の永久磁石から構成されていることを特徴とする請求項４に記載のリークチェッカー。
【請求項６】
前記回転磁石体は、極異方性を備えたリング状の永久磁石から構成されていることを特徴とする請求項４に記載のリークチェッカー。
【請求項７】
前記回転磁石体は、その外周面に形成されている磁極の箇所を明示するために、前記外周面に識別表示を備えていることを特徴とする請求項４から請求項６のいずれかに記載のリークチェッカー。
【請求項８】
前記回転軸の端部の一方又は双方に、取っ手を設けていることを特徴とする請求項４に記載のリークチェッカー。
【請求項９】
合成樹脂管に穿孔された穿孔穴に閉塞部材を挿入し、前記閉塞部材の上方から前記合成樹脂管の外周面にリペアサドルを被せて、前記リペアサドルを前記合成樹脂管に融着する成樹脂管の穿孔穴の補修方法であって、
前記請求項１から請求項３のいずれかに記載の閉塞部材を前記合成樹脂管に穿孔された穿孔穴に挿入して該穿孔穴を閉塞する閉塞工程と、
前記穿孔穴に挿入した前記閉塞部材の上方から前記リペアサドルを前記合成樹脂管の外周面に被せて、前記閉塞部材が前記リペアサドルの外側突出部の下方に位置した状態で、前記リペアサドルを前記合成樹脂管に融着するリペアサドル融着工程と、
前記合成樹脂管に融着したリペアサドルの外側突出部の上方部から前記閉塞部材に磁力を作用させて、前記閉塞部材の磁性体からなる部材を備えた前記内側栓体を前記貫通孔から前記リペアサドル方向に移動させる内側栓体引抜き工程と、
前記リペアサドルと前記合成樹脂管との融着についてその気密性を確認する気密性確認工程と、
を有することを特徴とする合成樹脂管の穿孔穴の補修方法。
【発明の詳細な説明】
【技術分野】
【０００１】
本発明は、合成樹脂管、特に都市ガスなどの燃料ガスを供給する合成樹脂製のガス管に穿孔された穿孔穴を閉塞するための閉塞部材、この閉塞部材を用いて合成樹脂管に穿孔された穿孔穴を補修する方法、およびこの合成樹脂管に穿孔された穿孔穴を補修するときに使用するリークチェッカーに関するものである。
【背景技術】
【０００２】
近年、都市ガス、ＬＰガスなどの燃料用ガス（以下、単に「都市ガス」という）を需要家（一般家庭や各種事業所）へ供給するためのガス管は、ポリエチレン製等の合成樹脂からなる管が使用されている。また、このガス供給用の管（ガス管）の大部分は、地下に埋設されている。
【０００３】
新規需要家に対してガス管を敷設するときには、既設のガス管に分岐管を接続するための孔を穿孔した後、この穿孔した孔（以下、「穿孔穴」という）を囲むように分岐用継手を既設のガス管の表面に固着し、この分岐用継手に分岐管を接続する工法が採用されている。
【０００４】
また、既設のガス管の補修を行なうときには、このガス管によるガスの供給を停止しないように、補修するガス管の区間にバイパス管を接続し、このバイパス管を介して都市ガスが供給されるようにするとともに、このガス管の補修部分へのガスの供給を止めた状態にして、ガス管の補修作業が行なわれる。このとき、バイパス管を接続するガス管には分岐用継手を接続するための孔が穿孔され、この分岐用継手にバイパス管が接続される。そして、ガス管の補修が完了すると、接続したバイパス管は撤去される。
【０００５】
そして、上記したバイパス管を撤去したガス管には分岐用継手が接続された状態になっているので、この分岐用継手もガス管から撤去することが望ましい。ガス管から分岐用継手を撤去すると、ガス管にはこの分岐用継手を接続していた穿孔穴が残った状態になる。このガス管に残った穿孔穴からのガス漏れを防止するために、この穿孔穴にシールプラグ（以下、「閉塞部材」という）を挿入してガスの漏れを無くしている。さらに、この穿孔穴からのガス漏れを確実に防止するためのガス管の補修工法として、下記の特許文献１に記載の補修工法が提案されている。特許文献１には、穿孔穴に挿入した閉塞部材の上方を囲むように合成樹脂製のリペアサドルを合成樹脂製のガス管の外周面に融着することにより、穿孔穴からのガス漏れを防止することが開示されている。
【０００６】
なお、上記した合成樹脂製のリペアサドルは、合成樹脂製ガス管の外周面に熱融着される部材であって、閉塞部材を挿入した穿孔穴から万一ガス漏れが生じても、漏れたガスが外部に流出することを防止するために使用される部材である。
【０００７】
従来から使用されているリペアサドルの概要を、図１２及び図１３に示している。図１２及び図１３に示すように、リペアサドル１２は、外側方向に突出する外側突出部１２ａ、ガス管の外周面と融着する部分となり、断面が円弧形状をなすサドル部１２ｂとを備えている。また、外側突出部１２ａにより、この外側突出部１２ａの内側面１２ｃの下方部には空間部１３が形成されている。さらに、サドル部１２ｂの内部には電熱線１２ｄが埋設され、サドル部１２ｂの外表面にはこの電熱線１２ｄに所定の電力を供給するための電極１２ｅ、１２ｆが配置されている。なお、一般に、外側突出部１２ａの横断面形状は円形をなしている。
【０００８】
また、下記の特許文献２には、樹脂製分岐管の撤去方法が提案されている。特許文献２には、回転ロッドを備えた閉止工具を用いて、ポリエチレン製の本閉止栓を、元管に穿孔されたタッピング孔に回転摩擦熱を利用して融着することが記載されている。さらに、特許文献２には、本閉止栓をタッピング孔に融着する前に、側周面にＯリングを設けた仮栓をこのタッピング孔に取り付けてシールすることが記載されている。
【０００９】
また、穿孔された孔などの空洞部をシールするためのシール部材（閉塞部材、又はプラグ）を磁性体で形成し、磁力を利用してこのシール部材を空洞部方向及び空洞部と離れる方向に移動させて空洞部を密封、及びこの密封状態を開放するための技術が、下記の特許文献３により提案されている。この特許文献３には、真空に排気されるべき容器について、その排気管と連通している接続部を、電磁石の磁力を利用して遠隔操作的に磁性体からなるシール部材で密封及び開放を自在にすることが開示されている。
【００１０】
【特許文献１】特開平９−４９５９６号公報
【特許文献２】特開２００２−２９５７２４号公報
【特許文献３】特開平５−２６３７２号公報
【発明の開示】
【発明が解決しようとする課題】
【００１１】
上記特許文献１には、合成樹脂製ガス管に分岐用継手を接続するために穿孔した孔について、ガス管の補修後に、この穿孔穴に閉塞部材を挿入してガスの漏れを無くして、この閉塞部材の上方を囲むように合成樹脂製のリペアサドルを合成樹脂製ガス管の外周面に融着することにより、このガス管の補修を行なう技術が提案されている。しかし、このようなガス管の補修においては、リペアサドルとガス管との融着による気密性が完全になされ、リペアサドルの内部から外部へガス漏れが発生しないという保障を確実に得るための手段については開示されていない。
【００１２】
リペアサドルと合成樹脂製ガス管との融着が不完全、例えば、熱融着によりリペアサドルとガス管とを接合した融着部に微小な隙間が生じていても、閉塞部材による穿孔穴の閉塞（密封）が確実になされていると、この微小な隙間を介して、すなわち、リペアサドルの内部（前記空間部１３）から外部へのガス漏れは発生しないからである。また、閉塞部材による穿孔穴の閉塞は、あくまでも一時的なシールを目的としたものである。穿孔穴を閉塞した閉塞部材は、都市ガスに含まれている各種の成分により、時間の経過とともに劣化することが考えられる。従って、劣化した閉塞部材から都市ガスが漏洩し、この漏洩した都市ガスはリペアサドルとガス管とにより形成される空間部１３に流出する。さらに、空間部１３に流出した都市ガスは、リペアサドルとガス管との融着が不完全であると、リペアサドルの内部から外部へ漏洩することになる。
このため、上記したように、ガス管に穿孔された穿孔穴の補修作業が終了したときに、リペアサドルとガス管との融着による気密性の良否を確実に、かつ、信頼性高く判定するための手段が望まれている。
【００１３】
特許文献２に記載の発明には、回転ロッドを備えた閉止工具を用いて、ポリエチレン製の本閉止栓を、元管に穿孔されたタッピング孔に回転摩擦熱を利用して融着することにより、タッピング孔を閉塞する分岐管の撤去方法が開示されている。しかし、特許文献２には、本閉止栓を囲むようにリペアサドルを合成樹脂製の元管に融着して、タッピング孔の閉塞をより完全にすることについては記載されていない。
【００１４】
特許文献３に記載の発明には、真空容器に穿孔された空洞部をシールするためのシール部材を磁性体で形成し、磁力を利用してこのシール部材を、遠隔操作的に空洞部方向及び空洞部と離れる方向に移動させて空洞部を密封、及びこの密封状態を開放することが開示されているが、都市ガス等を供給するガス管に穿孔された孔をシールする技術を対象としたものではない。
【００１５】
そこで、本発明の目的は、合成樹脂管に穿孔された穿孔穴の補修において、この穿孔穴に閉塞部材を挿入して、この閉塞部材の上方からリペアサドルをこの合成樹脂管に融着する方法を採用している補修方法において、リペアサドルと合成樹脂管との融着による気密性の良否を容易に判定することができる閉塞部材、この融着の気密性の良否を判定する作業を容易にするためのリークチェッカー、及び合成樹脂管に穿孔された穿孔穴の補修方法を提供することにある。
【課題を解決するための手段】
【００１６】
上記した課題を解決するために、請求項１に記載の閉塞部材は、合成樹脂管に穿孔された穿孔穴に挿入して該穿孔穴を閉塞するための閉塞部材であって、前記閉塞部材は、
前記挿入方向に形成された貫通孔を有するとともに、外周面に非磁性体の弾性部材からなる外側栓体を装着する非磁性体からなる拡径部材と、
前記拡径部材に形成された前記貫通孔内に、磁性体からなる部材を備えるとともに前記貫通孔に沿って移動可能に配設された内側栓体と、
前記内側栓体が前記貫通孔内の所定の位置に挿入されているときに、前記拡径部材と前記内側栓体は、前記合成樹脂管の管内が前記貫通孔を介して前記穿孔穴に挿入された前記閉塞部材の外側との連通を遮断するための手段を形成するようになされていることを特徴としている。
【００１７】
また、請求項２に記載の発明は請求項１に記載の閉塞部材に係り、前記内側栓体は、前記貫通孔に挿入される栓体部と、栓体部の一方の端部に結合された吸着プレート部を備え、前記吸着プレート部は磁性体から構成されていることを特徴としている。
【００１８】
また、請求項３に記載の発明は請求項２に記載の閉塞部材に係り、前記貫通孔に挿入された前記内側栓体は、前記内側栓体を前記合成樹脂管方向に移動させる付勢力を付与するための付勢手段を備えていることを特徴としている。
【００１９】
さらに、請求項４に記載の発明はリークチェッカーに係り、このリークチェッカーは、合成樹脂管に穿孔された穿孔穴に挿入された前記請求項１から請求項３のいずれかに記載の前記閉塞部材に磁力を作用させるためのリークチェッカーであって、
合成樹脂管に固着されたリペアサドルの外側突出部に装着可能な凹状空間部と、
永久磁石を配設した回転磁石体と、
前記回転磁石体を固着した回転軸を回転可能に支持する軸受部を備え、
前記回転軸の回転に基づいて、前記回転磁石体に配設された前記永久磁石からの磁力を、前記リペアサドルを介して前記穿孔穴に挿入された前記閉塞部材に作用させるようになされていることを特徴としている。
【００２０】
また、請求項５に記載の発明は請求項４に記載のリークチェッカーに係り、前記回転磁石体は、ラジアル異方性を備えたリング状の永久磁石から構成されていることを特徴としている。
【００２１】
また、請求項６に記載の発明は請求項４に記載のリークチェッカーに係り、前記回転磁石体は、極異方性を備えたリング状の永久磁石から構成されていることを特徴としている。
【００２２】
また、請求項７に記載の発明は請求項４から請求項６に記載のリークチェッカーに係り、前記回転磁石体は、その外周面に形成されている磁極の箇所を明示するために、前記外周面に識別表示を備えていることを特徴としている。
【００２３】
また、請求項８に記載の発明は請求項４に記載のリークチェッカーに係り、前記回転軸の端部の一方又は双方に、取っ手を設けていることを特徴としている。
【００２４】
さらに、請求項９に記載の発明は合成樹脂管に穿孔した穿孔穴の補修方法に係り、この穿孔穴の補修方法は、
合成樹脂管に穿孔された穿孔穴に閉塞部材を挿入し、前記閉塞部材の上方から前記合成樹脂管の外周面にリペアサドルを被せて、前記リペアサドルを前記合成樹脂管に融着する成樹脂管の穿孔穴の補修方法であって、
前記請求項１から請求項３のいずれかに記載の閉塞部材を前記合成樹脂管に穿孔された穿孔穴に挿入して該穿孔穴を閉塞する閉塞工程と、
前記穿孔穴に挿入した前記閉塞部材の上方から前記リペアサドルを前記合成樹脂管の外周面に被せて、前記閉塞部材が前記リペアサドルの外側突出部の下方に位置した状態で、前記リペアサドルを前記合成樹脂管に融着するリペアサドル融着工程と、
前記合成樹脂管に融着したリペアサドルの外側突出部の上方部から前記閉塞部材に磁力を作用させて、前記閉塞部材の磁性体からなる部材を備えた前記内側栓体を前記貫通孔から前記リペアサドル方向に移動させる内側栓体引抜き工程と、
前記リペアサドルと前記合成樹脂管との融着についてその気密性を確認する気密性確認工程と、
を有することを特徴としている。
【発明の効果】
【００２５】
本発明は、下記の効果を発揮することができる。
（１）本発明に係る閉塞部材は、磁性体から構成された内側栓体を備えている。これにより、合成樹脂管に穿孔された穿孔穴の補修において、この穿孔穴に閉塞部材を挿入して、この閉塞部材の上方からリペアサドルをこの合成樹脂管に融着する方法を採用している補修方法において、この閉塞部材として本発明に係る磁性体を有する内側栓体を備えた閉塞部材を使用することにより、リペアサドルの上方からこの閉塞部材に磁力を作用させると、この内側栓体は磁力によりリペアサドル方向に移動させて、合成樹脂管内を流れる都市ガス等の流体をリペアサドル内に流出させることができる。このため、本発明の閉塞部材は、合成樹脂管に穿孔された穿孔穴の補修作業が終了すると、直ちに、リペアサドルと合成樹脂管との融着の良否を確実に確認することができる閉塞部材を提供することができる。
【００２６】
（２）本発明に係る閉塞部材を構成する内側栓体は、その一方の端部に磁性体から構成された吸着プレートを備えている。このため、リペアサドルの上方からこの吸着プレートに磁力を作用させると、磁力による内側栓体をリペアサドル方向へ移動させる移動力を高めることができる。
【００２７】
（３）リークチェッカーは、その内部に補修作業者の操作で回転可能な回転磁石体を設け、さらに、その下方部はリペアサドルの上面部に載置することができる構造にしている。これにより、リペアサドルの上方から合成樹脂管の穿孔穴に挿入されている閉塞部材に対して磁力を作用させることができるので、簡単な操作で、かつ、確実に、閉塞部材から内側栓体のみを、リペアサドル方向へ移動させることが可能なリークチェッカーを提供することができる。
【００２８】
本発明に係る合成樹脂管に穿孔した穿孔穴の補修方法は、上記した効果（１）〜（３）により、合成樹脂管に穿孔した穿孔穴の補修作業が終了したときに、リペアサドルと合成樹脂管との融着の良否を確実に確認することができる補修方法を提供することができる。
【発明を実施するための最良の形態】
【００２９】
都市ガスを需要家に供給するポリエチレン製のガス管を補修するときには、前記したように、このガス管にバイパス用の管（又はホース）を接続するための穿孔穴が穿孔工具に穿孔される。そして、補修作業が終了すると、この穿孔穴に閉塞部材を挿入して密封し、さらに、この穿孔穴に挿入した閉塞部材を上方から覆うように、リペアサドルがガス管の外周面に融着される。本発明に係る閉塞部材は、この閉塞部材の構成に係るものである。
【００３０】
また、ガス管とリペアサドルとが確実に融着しているか否かを確認（判定）するために、補修作業が終了した後に、例えば、熱融着によりガス管とリペアサドルとが接合された接合部の周囲に、石けん水等を流して泡の発生の有無により確認していた。ガス管に穿孔した穿孔穴について、このような補修方法を採用した場合、ガス管とリペアサドルとの融着が不完全であっても、閉塞部材により穿孔穴か密封されていると、ガス管とリペアサドルとの融着が確実になされているか否かを確認することはできない。
【００３１】
本発明に係るリークチェッカーは、上記した補修作業を実施した後に、ガス管とリペアサドルとの融着の良否を判定するときに、穿孔穴に挿入した本発明に係る閉塞部材に対して、ガス管内を流れている都市ガスの一部が通過可能な流路を、磁力を利用して形成させる手段を備えた装置であって、この穿孔穴に係る補修作業の良否を判定するための作業を容易にするための装置である。
【００３２】
以下、本発明を実施するための最良の形態を図面に基づいて説明する。まず、本発明に係る閉塞部材（ストッパー）について、その第１の実施形態について説明する。
【００３３】
（閉塞部材の第１の実施形態）
図１は本発明に係る閉塞部材１の第１の実施形態を示す縦断面、図２は図１に示す閉塞部材１を構成する各部材について、その形状を説明するための斜視図である。また、図３および図４は、ガス管に穿孔された穿孔穴を閉塞するために、この穿孔穴に、図１に示す閉塞部材１を挿入したときの状態を示す断面図である。
【００３４】
図１及び図２に示すように、第１の実施形態を示す閉塞部材１は、外側栓体２と、拡径部材３と、内側栓体４と、Ｏリング５から構成されている。
【００３５】
外側栓体２は、適度な弾性を有するリング形状の合成ゴム、例えばＮＢＲ（Nitril Butandiene Ruber）から製作されている。リング形状をなす外側栓体２が備えている貫通孔２ａの内径は、図１に示すように、その上側内径部２ｂの内径を下側内径部２ｃの内径より若干大きくし、さらに、下側内径部２ｃの上下の端部にはその内周面から内側方向に円環状に突出する突出部２ｄ、２ｅを形成している。また、外側栓体２の一方の端部（上端部）には、貫通孔２ａに対して外側に突出する所定の厚さを有する鍔部（フランジ部）２ｆを形成し、さらに、鍔部２ｆの下方には鍔部２ｆの外径より小さくした外径を有する円筒状の外周面部２ｇを形成している。外周面部２ｇは、ガス管に穿孔された穿孔穴の内周面と密着する部分になる。なお、外周面部２ｇの外径は、この穿孔穴の内径より若干大きく、例えば、０．５ｍｍ〜１．５ｍｍ程度大きくなるようにする。
【００３６】
拡径部材３は、縦長のリング形状をなし、その材質は非磁性体である硬質な合成樹脂、例えばポリエチレンから形成されている。拡径部材３の高さＨ２は、外側栓体２の高さＨ１より高くしている。また、拡径部材３はその高さ方向に形成された貫通孔３ａを有している。さらに、貫通孔３ａには、その内周面から拡径部材３の上端面３ｂに通じる微小なガス孔３ｃ、３ｄを形成している。図２に示すように、拡径部材３の外周面には、上側外周面３ｅと下側外周面３ｆを形成するとともに、上側外周面３ｅの外径を下側外周面３ｆの外径より若干大きくしている。なお、閉塞部材１を組み立てたときには、この下側外周面３ｆに外側栓体２の下側内径部２ｃが挿入されて両者が密着し、さらに、上側外周面３ｅの下部が外側栓体２の上側内径部２ｂに挿入される。
【００３７】
内側栓体４は、ＳＳ４００（一般構造用圧延鋼材）等の強磁性体から構成され、その断面形状はＴ型をなしている。図１に示すように内側栓体４は、横断面が円形の栓体部４ａと、栓体部４ａに形成された溝部４ｂと、栓体部４ａの一方の端部に形成された平坦な面を有する吸着プレート４ｃを備えている。栓体部４ａに形成された溝部４ｂは、Ｏリング５を挿入するための円環状の溝である。なお、閉塞部材１を組み立てたときには、内側栓体４の栓体部４ａは、拡径部材３の貫通孔３ａにその全長が挿入されたときには、吸着プレート４ｃの下面は図１に示すように拡径部材３の上端面３ｂに当接するようにする。また、貫通孔３ａの外径は栓体部４ａの外径より若干大きくして、栓体部４ａを貫通孔３ａに挿入したときに微小な隙間が生じるようにする。なお、溝部４ｂに挿入したＯリング５は貫通孔３ａの内周面に摺動自在に当接して、栓体部４ａと貫通孔３ａとの隙間の気密を確保する手段になる。
【００３８】
図１に示す内側栓体４は、栓体部４ａと吸着プレート４ｃの双方を磁性体の材質から構成して一体化した例を示しているが、吸着プレート４ｃをＳＳ４００等の磁性体とし、栓体部４ａを非磁性体（金属又は合成樹脂）として、両者をネジ接合または接着等により一体にしてもよい。
【００３９】
なお、吸着プレート４ｃの平坦な面の形状は、図２に示すように平面視で円形にするか、あるいは四角形状にしてもよい。また、平坦な面の幅は栓体部４ａの断面の幅の少なくとも１．５倍以上に設定する。このように吸着プレートの平坦な面の幅を設定すると、後述するが、この吸着プレート４ｃはその上方から磁力による吸引作用を受けると、より強い吸引力を受けることになる。これにより、内側栓体４は、磁力の吸引作用を受けると、図３に示すＦ方向（閉塞部材１を挿入する方向と逆方向を示す）に容易に移動、すなわち、栓体部４ａは貫通孔３ａ内を摺動してＦ方向に移動することになる。
【００４０】
また、図１に示すように、栓体部４ａが貫通孔３ａの所定に位置、例えば、栓体部４ａの全長部分が貫通孔３ａに挿入されたときに、栓体部４ａの溝部４ｂに挿入されたＯリング５は、微小なガス孔３ｃより下側における貫通孔３ａと、栓体部４ａとの気密状態を確保する作用が行なえるように、溝部４ｂとガス孔３ｃの位置を適切に設定する。
【００４１】
このように、内側栓体４が磁力の作用を受けて貫通孔３ａ内をＦ方向に移動可能にするために、溝部４ｂに挿入されたＯリング５が貫通孔３ａの内周面に作用する面圧が適切になるように、Ｏリング５の材質と表面部の形状等を設定する。
【００４２】
上記した外側栓体２、拡径部材３、内側栓体４、気密保持手段となるＯリング５から構成される閉塞部材１を組み立てる手順は、例えば、次の（１）〜（３）に記載の手順に従って組み立てることができる。
【００４３】
（１）内側栓体４の栓体部４ａに形成した溝部４ｂに、Ｏリング５を挿入する。
（２）外側栓体２の貫通孔２ａに、拡径部材３を挿入する。このとき、図１に示すように、外側栓体２の下側内径部２ｃの内径は、拡径部材３の下側外周面３ｆの外径より若干小さく形成されているので、適度な弾性を有する下側内径部２ｃは、拡径部材３の下側外周面３ｆに密着する。また、外側栓体２の下側内径部２ｃの上下の端部には、その内径面から内側方向に円環状に突出する突出部２ｄ、２ｅが形成されているので、これらの弾性を有する突出部２ｄ、２ｅは拡径部材３の下側外周面３ｆにさらに強く密着することになる。これにより、外側栓体２の下側内径面２ｃと拡径部材３の下側外周面３ｆとの気密性が確保される。
【００４４】
（３）拡径部材３に形成されている貫通孔３ａに、内側栓体４の栓体部４ａを挿入する。このとき、図１に示すように、栓体部４ａはその全長が貫通孔３ａに挿入するとともに、溝部４ｂに挿入したＯリング５が図１に示すようにガス孔３ｃの下方なるように位置させて、Ｏリング５により、このＯリング５の下方部分における貫通孔３ａと栓体部４ａとの気密性が確保されるようにする。また、内側栓体４の吸着プレート４ｃの下面は、図１に示すように、拡径部材３の上端面３ｂに当接するようにする。
【００４５】
続いて、ガス管に穿孔した穿孔穴を補修するために、上記した手順で組み立てた閉塞部材１を、この穿孔穴に挿入したときの状態について説明する。
図３は、ガス管１０に穿孔した穿孔穴１１に、上記した第１の実施形態に係る閉塞部材１を挿入したときの状態を示す要部断面図である。図３に示すように、閉塞部材１を穿孔穴１１に挿入したときには、閉塞部材１の外側栓体２に形成されている鍔部２ｆから上方部がガス管の外周面から突出するようにする。
【００４６】
図３に示す穿孔穴１１は、上記したように、例えば、都市ガスを供給するガス管１０を補修するために、このガス管１０にバイパス用の管（又はホース）を接続するために穿孔した孔である。そして、ガス管１０の補修作業を行なうときに、この穿孔穴１１に閉塞部材１を挿入するとともに、ガス管１０からのガス漏れを確実に防止するために、穿孔穴１１に挿入した閉塞部材１の上方からこの閉塞部材１を覆うように、リペアサドル１２がガス管１０の外周面に融着される。なお、この穿孔穴１１の内周面の断面形状は、円形形状をなしている。
【００４７】
図３に示すリペアサドル１２は、前記したように、外側方向に突出する外側突出部１２ａと、サドル部１２ｂと、サドル部１２ｂの内部周辺に埋め込まれた電熱線１２ｄ（図１３参照）を備えている。また、リペアサドル１２をガス管１０の外周面に融着すると、リペアサドル１２が備えている外側突出部１２ａにより、この外側突出部１２ａの内側面１２ｃとガス管１０の外周面との間に空間部１３が形成される。
【００４８】
前記したように、外側栓体２に形成されている外周面部２ｇの外径は、穿孔穴１１の内径より若干大きく設定されている。従って、外側栓体２の外周面部２ｇをガス管の穿孔穴１１に挿入した状態を示す図３においては、弾性材からなる外側栓体２はガス管１０の長手（管軸）方向に圧縮されて、その外周面部２ｇは穿孔穴１１の内周面に密着するとともに、下側内径部２ｃは拡径部材３の下側外周面３ｅに密着する。さらに、下側内径部２ｃには円環状の突出部２ｄ、２ｅが設けられているので、これら突出部２ｄ、２ｅは下側外周面３ｆに強く密着することになる。また、内側栓体４の溝部４ｂに挿入されたＯリング５は、微小なガス孔３ｃより下側に位置する状態になっている。
【００４９】
これにより、リペアサドル１２をガス管１０の外周面に融着して穿孔穴１１に係る補修作業が終了したときの状態を示す図３においては、ガス管１０内を流れる都市ガスが、穿孔穴１１を介して空間部１３内に、さらに、空間部１３からリペアサドル１２の外側へ漏洩することを防止する対策、すなわち、ガス管１０内と閉塞部材１の外側（吸着プレート４ｃ方向）との連通を遮断する対策が施されたことになる。
【００５０】
図４は、ガス管１０に穿孔した穿孔穴１１に係る補修作業が終了したときに、穿孔穴１１に挿入した閉塞部材１の上方からガス管１０に融着したリペアサドル１２がガス管１０に確実に融着して、気密性が保持されているか否かを判定するために、磁力を利用して、閉塞部材１を構成する磁性体からなる部材を備えている内側栓体４のみを、図３に示す状態からＦ方向に移動させたときの状態を示している。なお、内側栓体４に磁力を作用させるための磁石は、後述する本発明に係るリークチェッカー（図５参照）が備えている。
【００５１】
図３に示す状態から、リペアサドル１２の外側突出部１２ａの上面近くに配置したリークチェッカーから閉塞部材１に対して磁力を作用させると、図４に示すように、内側栓体４の吸着プレート４ｃは磁力による吸着力を受けて、内側栓体４は距離ＬほどＦ方向に移動し、吸着プレート４ｃの上面はリペアサドル１２の内側面１２ｃに当接させるようにする。このためには、内側栓体４が距離ＬほどＦ方向に移動可能な十分な磁力を吸着プレート４ｃに作用させる必要がある。また、内側栓体４を距離ＬほどＦ方向に移動させたときに、内側栓体４の栓体部４ａのＦ方向の長さの大部分が、貫通孔３ａ内に留まるようにする。
【００５２】
さらに、図４に示すように、磁力を利用して閉塞部材１から内側栓体４のみをＦ方向に距離Ｌほど上方に引き上げる（引き抜く）と、内側栓体４の溝部４ｂに挿入されているＯリング５は、図３に示す位置から、図４に示すようにガス孔３ｃの上方部まで貫通孔３ａ内を摺動して移動させるようにする。このためには、内側栓体４の移動距離Ｌ、及び前記したガス孔３ｃを設ける位置、Ｏリングを挿入する溝部４ｂの位置等を適切に設定する必要がある。
これら内側栓体４の移動距離Ｌ、及び前記したガス孔３ｃを設ける位置、Ｏリングを挿入する溝部４ｂの位置等は、内側栓体４が貫通孔３ａ内の所定の位置に挿入されているときに、ガス管１０の内部が貫通孔３ａを介して穿孔穴１１に挿入された閉塞部材１の外側（吸着プレート４ｃの上方）との連通を遮断するための手段となる。
【００５３】
磁力の作用により内側栓体４を距離ＬほどＦ方向に移動した状態を示す図４においては、Ｏリング５も貫通孔３ａ内を摺動してＦ方向に移動してガス孔３ｃの上方に位置する。これにより、貫通孔３ａ内において、ガス孔３ｃ（Ｏリング５）より下方に位置する栓体部４ａと貫通孔３ａとの気密性は無くなる。このため、ガス管１０の内部とガス孔３ｃと３ｄが連通して、ガス管１０内を流れている都市ガスの微少量が空間部１３に流出する流路が形成され、この流路を流れた都市ガスは空間部１３に流れ込むことになる。
【００５４】
一般に、ガス管１０を流れる都市ガスの供給圧力は、１．８ｋＰａ〜３ｋＰａに調整されているので、都市ガスが空間部１３に流れ込むと空間部１３内の圧力は大気圧より若干高くなる。これにより、図４に示す状態において、ガス管１０とリペアサドル１２との融着が不完全であって、この融着による接合部に微小な隙間が形成されていると、この隙間から都市ガスがリペアサドル１２の外部に漏れ出すことになる。
【００５５】
本発明においては、穿孔穴１１に対する補修作業が終了したときに、直ちに、上記したように、本発明に係るリークチェッカーから閉塞部材１に磁力を作用させることにより、ガス管１０とリペアサドル１２との融着の気密性の良否を簡単に確認することができる。なお、都市ガスがリペアサドル１２の外部に漏れ出しているか否かを検出する手段は、従来から実施されているガス管１０とリペアサドル１２との融着による接合部の周囲に、石けん水を流して泡の発生の有無を目視により確認することにより可能である。
【００５６】
（リークチェッカーの構成）
続いて、本発明に係るリークチェッカーの構成について説明する。このリークチェッカーは、リペアサドル１２の外側突出部１２ａ上に載置（装着）して、ガス管１１に穿孔された穿孔穴に挿入された閉塞部材１に磁力を作用させることにより、閉塞部材１から内側栓体４のみを図４に示すようにＦ方向に所定の距離ほど移動させるために使用する装置である。
【００５７】
以下、リークチェッカーの構成を、図５及び図６に基づいて説明する。なお、図５はこのリークチェッカー２０の構成を示す断面図、図６はガス管１０の穿孔穴１１を補修する作業が終了したときに、ガス管１０とリペアサドル１２との融着の良否を判定するために、リークチェッカー２０をリペアサドル１２の外側突出部１２ａに装着したときの状態を示す断面図である。
【００５８】
リークチェッカー２０は、主として図５に示すように、ケース部２１と、このケース部２１に設けられている空間部を貫通して配置されるとともに、ケース部２１に設けた軸受部２５、２６に回転自在に支持される回転軸２２と、回転軸２２に固定されてこの回転軸２２とともに回転可能な回転磁石体２３と、回転軸２２の端部に固定された把持部（取っ手）２４とから構成されている。なお、回転軸２２の所定位置に回転磁石体２３を固定するために、回転軸２２に挿入されるスペーサー２７と、回転軸に設けたねじ孔にねじ込まれる止めねじ２８を備えている。なお、ケース部２１の材質は、硬質な合成樹脂あるいはアルミニウム合金等の非磁性体を使用する。また、軸受部２５、２６にはボールベアリングを備えた軸受から構成して、作業者が手で把持部２４を操作して回転軸２２に回転力を付与すると、回転軸２２は円滑に回転するようにする。
【００５９】
図５は、リークチェッカー２０の縦断面を示しているが、ケース部２１の横方向（水平方向）の断面を示す形状は円形をなしている。そして、ケース部２１の下方部には、図５に示すように断面が円形をなす凹状空間部２９を、また、ケース部２１の上方部には、断面が円形をなす凹状空間部３０を設けている。凹状空間部２９は、図５に示すようにリペアサドル１２の外側突出部１２ａを挿入して、リークチェッカー２０をリペアサドル１２上に安定した状態で載置するための空間部になる。なお、上記した回転磁石体２３は凹状空間部３０に配置されており、凹状空間部３０の上端部にはアクリル等からなる透明な蓋３１を装着している。
【００６０】
回転磁石体２３は円筒形状をなし、前記したように、閉塞部材１が備えている内側栓体４の吸着プレート４ｃに磁力を作用させるための磁石体であって、その磁石としては永久磁石、例えば、強力な磁力を有するネオジム系希土類磁石、あるいはフェライト磁石を用いることが望ましい。
【００６１】
円筒形状をなす回転磁石体２３を回転軸２２に固定する構造は、例えば、次のようにするとよい。すなわち、断面が円形をなす回転磁石体２３の軸（回転軸２２）方向の中心軸に対して、図５に示すように、所定の距離ほどずらせた（偏心させた）位置に回転軸２２を固定する構造にする。
【００６２】
回転自在に設けた回転磁石体２３の回転軸２２を中心軸に対して偏心させた構造としたリークチェッカー２０を、その回転軸２２が水平方向を向くように置いたときに、回転磁石体２３からの磁力線が届く範囲に磁性体が存在せず、かつ回転軸２２に何らの回転力を付与していないときには、図５に示すように、回転磁石体２３は回転軸２２から回転磁石体２３の外周面までの距離が大きくなる部分２３ａ（以下、「非着磁部」という）は、重量差の関係で凹状空間部２９の方向に向く。一方、この非着磁部２３ａに対向する他の半分部分２３ｂ（以下、「着磁部」という）は非着磁部２３ａより軽くなるので、蓋３１方向に向いた状態で停止する。そして、図５に示すリークチェッカー２０の実施形態において、転軸が偏心している回転磁石体２３は、重量が重くなる非着磁部２３ａは磁極を備えていない非着磁部分とし、重量が非着磁部２３ａより軽くなる着磁部２３ｂは磁極を備えた着磁部分から構成される構造にしている。
【００６３】
前記したように、ガス管１０に穿孔した穿孔穴１１に対する補修作業が終了すると、ガス管１０とリペアサドル１２との融着の気密性に対する良否を判定するために、補修作業者は図６に示すように、リークチェッカー２０のケース部２１の凹状空間部２９内に、リペアサドル１２の外側突出部１２ａを挿入して、外側突出部１２ａ上にリークチェッカー２０を載置する。なお、ガス管１０に穿孔する穿孔穴１１の位置は、垂直方向の向きであって、ガス管１０の軸方向に対して垂直方向の上側に設けることが望ましい。これにより、リペアサドル１２の外側突出部１２ａは、水平方向に向くことになるので、リークチェッカー２０をリペアサドル１２の外側突出部１２ａ上に安定した状態で載置することができる。
【００６４】
図６は、水平方向に向いているリペアサドル１２の外側突出部１２ａ上にリークチェッカー２０を載置したときに、回転磁石体２３の非着磁部２３ａが凹状空間部２９の方向、すなわち、ガス管１０の穿孔穴１１に挿入された閉塞部材１の方向に向いた状態になっていることを示している。
【００６５】
続いて、補修作業者は、回転軸２２に取り付けられている取っ手２４を操作して回転軸２２を１８０度回転させる。この操作により、回転磁石体２３も１８０度回転して磁極を備えている着磁部２３ｂが閉塞部材１方向に向いた状態になる。この回転操作により、回転磁石体２３の着磁部２３ｂが閉塞部材１の上面部と対面すると、着磁部２３ｂからの磁力線が磁性体からなる内側栓体４の吸着プレート４ｃに作用する。これにより、内側栓体４には図３に示すように、Ｆ方向に引っ張られる磁気吸引力が作用して、閉塞部材１を構成する内側栓体４は、貫通孔３ａ内をＦ方向に距離Ｌほど上方に摺動し、その吸着プレート４ｃの上面は図４に示すように、リペアサドル１２の内側面１２ｃに当接することになる。
【００６６】
そして、閉塞部材１を構成する内側栓体４がＦ方向に移動すると、前記したように、Ｏリング５も栓体部４ａとともに貫通孔３ａ内をＦ方向に摺動して、ガス孔３ｃの上方に位置する。これにより、貫通孔３ａ内において、ガス孔３ｃ（Ｏリング５）より下方に位置する栓体部４ａと貫通孔３ａとの気密性が無くなって、ガス管１０の内部とガス孔３ｃとガス孔３ｄが連通する。この連通により、ガス管１０内を流れている都市ガスの微少量が空間部１３に流出する流路が形成され、この流路を流れた都市ガスは空間部１３に流れ込むことになる。
【００６７】
このようにして、補修作業者は、リークチェッカー２０を操作して閉塞部材１の方向に磁力を作用させた後、所定時間が経過すると、熱融着によりガス管１０とリペアサドル１２とが接合された接合部の周囲に石けん水等を流して、ガス管１０とリペアサドル１２とが確実に融着されて気密性が確保されているか否かを確認する気密性確認作業を行なう。なお、内側栓体４が磁力の作用を受けて閉塞部材１から所定の距離ほどＦ方向に移動する（抜ける）と、回転磁石体２３の着磁部２３ｂは内側栓体４の吸着プレート４ｃに磁力をより強く作用させる状態となるので、補修作業者が取っ手２４から手から離しても回転磁石体２３はその着磁部２３ｂが閉塞部材１に対向した状態で停止することになる。これにより、補修作業者は、内側栓体４が閉塞部材１から上方に移動して、ガス管１０の内部とガス孔３ｃとガス孔３ｄが連通したことを確認することができる。
【００６８】
（回転磁石体の構成）
続いて、回転磁石体２３の構成について説明する。図７（ａ）は回転磁石体２３の第１の実施形態を示す斜視図、図７（ｂ）及び図７（ｃ）は図７（ａ）に示す回転磁石体２３について、回転軸方向と直交する方向の断面図と、回転磁石体２３に形成した磁極を示した図である。図７（ａ）〜図７（ｃ）に示す回転磁石体２３は、強力な磁力を有するネオジム系希土類磁石を、粉末成形と焼結によりリング形状に一体成形した永久磁石を使用したものである。また、回転磁石体２３の中心軸方向に対して偏心させた回転軸２２を貫通させて固定するための回転軸用孔３２を形成する方法は、粉末成形時に形成するか、あるいは機械加工により形成する。
【００６９】
回転磁石体２３への磁極の形成は、回転磁石体２３の着磁部２３ｂに、図７（ｂ）に示すようにラジアル異方性となる磁極ＮとＳ、あるいは図７（ｃ）に示すように極異方性となるように磁極ＮとＳを形成するようにするとよい。
【００７０】
図８（ａ）及び図８（ｂ）は、回転磁石体２３について第２の実施形態を示す斜視図と断面図である。第２の実施形態を示す回転磁石体２３は、回転軸用孔３２と外周面の長手方向（回転軸方向）に断面が円弧（弓型）状の凹部３３を形成した非磁性体３４と、この凹部３３に弓（アーク）型のネオジム系希土類磁石又はフェライト磁石からなる永久磁石３５を接着等により固定して円筒形状の磁石体とした例を示している。この第２の回転磁石体２３への磁極は、例えば、図８（ｂ）に示すように永久磁石３５の長手方向の一方の端面にＮ極を、同じく他方の端面にＳ極を形成するようにする。
【００７１】
なお、図７（ａ）に示すように、回転磁石体２３の外周面には、その外周面に形成されている磁極の箇所を明示するために、カラー色の塗料を塗布した識別表示５０からなる塗布層を設けるとよい。例えば、磁極が形成されている外周面には赤色、磁極が存在しない箇所は白色の塗料を塗布する。このように、回転磁石体２３の外周面に識別表示５０を設けると、リークチェッカー２０の透明な蓋３１を通して回転磁石体２３に塗布した識別表示５０を目視することが可能になる。これにより、補修作業者がリークチェッカー２０を操作して回転磁石体２３からの磁力を閉塞部材１に作用させるときに、回転磁石体２３の着磁部２３ｂの位置の確認が容易になる。
【００７２】
（閉塞部材の第２の実施形態）
続いて、本発明に係る閉塞部材について、その第２の実施形態を図面に基づいて説明する。図９は、この第２の実施形態に係る閉塞部材４０の縦断面を示している。第２の実施形態となる閉塞部材４０は、図１に示す第１の実施形態の閉塞部材１を構成する部材とほぼ同様な部材である、外側栓体４１と、拡径部材４２と、内側栓体４３とを備えるとともに、さらに、内側栓体４３に嵌装されるスプリング部材４４と、拡径部材４２の貫通孔４２ａの内周面にネジ嵌合された押さえナット４５と、内側栓体４３の下端部近傍に固定されるスプリング受け４６とを備えている。
【００７３】
上記した閉塞部材４０を構成する各部材において、外側栓体４１の材質及び形状は第１の実施形態に係る閉塞部材１を構成すると外側栓体２とほぼ同様であるので、その説明は省略する。
【００７４】
拡径部材４２は、貫通孔４２ａを備えた縦長のリング形状をなし、その材質は硬質な合成樹脂、例えばポリエチレンから形成されている。図９に示すように、断面形状が円形をなす貫通孔４２ａ内にはその長手方向に内側栓体４３が挿入されている。また、貫通孔４２ａの下端部近傍には、図９に示すようにその貫通孔４２ａの内径をその断面をＶ形状に縮小した径縮小部４２ｂを設けている。また、拡径部材４２の上方部には押さえナット４５の外周面に形成されたネジと螺合するネジ溝を設けたネジ部４２ｃと、ネジ部４２ｃの上方は貫通孔４２ａの内径を拡大した内径拡大部４２ｄを設けている。
【００７５】
内側栓体４３は、断面が円形をなす栓体部４３ａと、栓体部４３ａの上端部とネジ結合された吸着プレート４３ｂから構成される。なお、吸着プレート４３ｂは円盤形状をなしその平面上の中央部には、栓体部４３ａの上端部に形成したネジと螺合するネジ溝を設けている。また、吸着プレート４３ｂの材質は磁性体、例えば強磁性材であるＳＳ４００等を使用する。栓体部４３ａの材質は磁性体を使用してもよいが、非磁性体である、例えば「ＳＵＳ３０３」等を使用してもよい。
【００７６】
また、栓体部４３ａの下端部は、その内径を徐々に縮小してその縦断面がＶ型形状をなす径縮小部４３ｃを設けている。また、この径縮小部４３ｃの上部には栓体部４３ａに嵌装したスプリング受け４６を係止するための段差部を設ける。
【００７７】
拡径部材４２の貫通孔４２ａの内周面にネジ嵌合される押さえナット４５は、その中央部に内側栓体４３の栓体部４３ａを貫通させるための貫通孔４５ａを備え、その材質は合成樹脂等の非磁性材を使用する。
【００７８】
図９に示す状態おいては、栓体部４３ａに嵌装されたスプリング部材４４は、押さえナット４５とスプリング受け４６との間で圧縮状態になっており、その反発力は内側栓体４３をガス管１０方向へ移動させる付勢力を発生している。これにより、栓体部４３ａの径縮小部４３ｃは拡径部材４２の内径縮小部４２ｂに密着し、この密着面は気密性を確保している状態になっている。これらスプリング部材４４、押さえナット４５、スプリング受け４６等は、内側栓体４３をガス管１０方向へ移動させる付勢手段になる。また、この付勢手段と、栓体部４３ａの径縮小部４３ｃと、拡径部材４２の内径縮小部４２ｂは、ガス管１０の内部が貫通孔４２ａを介して穿孔穴１１に挿入された閉塞部材４０の外側（吸着プレート４３ｂの上方）との連通を遮断するための手段となる。
【００７９】
図１０は、図３と同様に、ガス管１０に穿孔した穿孔穴１１に、第２の実施形態に係る閉塞部材４０を挿入したときの状態を示す要部断面図である。図１０に示す状態においては、リペアサドル１２の外側突出部１２ａに前記したリークチェッカー２０を載置していないので、内側栓体４３はスプリング部材４４の反発力によりその栓体部４３ａの径縮小部４３ｃは、拡径部材４２の内径縮小部４２ｂに密着している。このため、ガス管１０内を流れている都市ガスは、リペアサドル１２とガス管１０の外周面により形成される空間部１３に流出していない。
【００８０】
そして、ガス管１０に穿孔した穿孔穴１１に係る補修作業が終了し、リペアサドル１２の外側突出部１２ａにリークチェッカー２０が載置され、補修作業者の操作によりリークチェッカー２０が備えている回転磁石体２３からの磁力を閉塞部材４０に作用させると、磁性体から構成される吸着プレート４３ｂを備えている内側栓体４３は、図１０に示す状態であるスプリング部材４４の反発力に抗して、図１１に示すように磁力の吸引力によりＦ方向に移動する。その結果、吸着プレート４３ｂの上面はリペアサドル１２の内側面１２ｃに当接する。これにより、栓体部４３ａの径縮小部４３ｃと拡径部材４２の内径縮小部４２ｂとが離反するので、ガス管１０内を流れている都市ガスの微量が空間部１３に流出することになる。これにより、前記したように、石けん水等を利用してリペアサドル１２とガス管１０との融着に対する気密性の良否を確認することが可能になる。
【００８１】
上記した本発明に実施形態の説明においては、ガス管１０に穿孔された穿孔穴に挿入された閉塞部材１（４０）から内側栓体４（４３）を、磁力を利用して若干の距離ほどリペアサドル１２方向（図３等に示すＦ方向）に移動させる例について説明したが、この移動させた内側栓体４（４３）を、磁力を利用して、図３（図１０）に示すように、閉塞部材１（４０）内の元の位置に戻すようにしてもよい。これを実現するためには、次の手段を採用することができる。
【００８２】
（１）例えば、内側栓体４（４３）の吸着プレート４ｃ（４３ｂ）の上面に板状の永久磁石を固定する。そして、この板状永久磁石の一方の面に磁極のＮ極を他方の面にはＳ極を形成する。
（２）リークチェッカー２０が備えている回転磁石体２３を回転させて、例えば、回転磁石体２３のＮ極と吸着プレート４ｃの上面に固定された板状永久磁石の上面の磁極Ｓか対向すると、相互の永久磁石間に吸引力が作用するので、内側栓体４（４３）を、図４（図１１）に示すように回転磁石体２３方向に移動させることができる。
【００８３】
（３）リペアサドル１２とガス管１０との融着に対する気密性の良否の確認が終了すると、上記（２）の状態から、回転磁石体２３を回転させて、回転磁石体２３の磁極Ｓが板状永久磁石の上面の磁極Ｓと対向させる。これにより、相互の永久磁石間には反発力が作用するので、内側栓体４（４３）は回転磁石体２３に対して逆方向に移動するので、内側栓体４（４３）は閉塞部材１（４０）内の元の位置に戻すことができる。
【００８４】
このように、リペアサドル１２とガス管１０との融着に対する気密性の良否の確認が終了すると、内側栓体４（４３）を閉塞部材１（４０）内の元の位置に戻す操作を行なうと、内側栓体４（４３）が都市ガスにより腐食されることを防止することが可能になる。
【００８５】
また、上記した本発明の実施形態において、回転磁石体２３はその形状が円筒形をなしている場合について説明したが、例えば、回転磁石体２３の断面形状は４角形状（又は多角形状）とし、その対向する表面部にＮ極とＳ極を形成し、他の対向する表面部には磁極を形成していない回転磁石体としてもよい。さらに、リークチェッカー２０の凹状空間部２９には、リークチェッカー２０をリペアサドル１２の外側突出部１２ａ上に安定した状態で載置するための載置支持手段を設けてもよい。
【図面の簡単な説明】
【００８６】
【図１】本発明に係る閉塞部材について、その第１の実施形態の構成を説明するための断面図である。
【図２】図１に示す閉塞部材について、閉塞部材を構成する部材を示す斜視図である。
【図３】ガス管に穿孔した穿孔穴を補修するために、この穿孔穴に図１に示す閉塞部材を挿入した時の状態を説明するための部分断面図である。
【図４】図３に示す状態において、閉塞部材を構成する内側栓体のみを閉塞部材からＦ方向に移動させたときの状態を説明するための部分断面図である。
【図５】本発明に係るリークチェッカーについて、その構成を説明するための断面図である。
【図６】図５に示すリークチェッカーを、図３に示すリペアサドル上に載置したときの状態を説明するための断面図である。
【図７】本発明に係るリークチェッカーが備えている回転磁石体について、その構成例を説明するための図であって、（ａ）は斜視図、（ｂ）はその断面図と磁極の配置例を示す図、（ｃ）は同じく磁極の配置について他の例を示す図である。
【図８】本発明に係るリークチェッカーが備えている回転磁石体について、他の構成例を説明するための図であって、（ａ）は斜視図、（ｂ）はこの回転磁石体の断面図と磁極の配置例を示す図である。
【図９】本発明に係る閉塞部材について、第２の実施形態の構成を説明するための断面図である。
【図１０】ガス管に穿孔した穿孔穴を補修するために、この穿孔穴に図９に示す第２の実施形態に係る閉塞部材を挿入した時の状態を説明するための部分断面図である。
【図１１】図１０に示す状態において、第２の閉塞部材を構成する内側栓体のみを閉塞部材からＦ方向に移動させたときの状態を説明するための部分断面図である。
【図１２】リペアサドルの構成を説明するための部分横断面図である。
【図１３】同じく、リペアサドルの構成を説明するための部分縦断面図である。
【符号の説明】
【００８７】
１、４０：閉塞部材
２、４１：外側栓体
３、４２：拡径部材
４、４３：内側栓体
５：Ｏリング
１０：ガス管
１１：穿孔穴
１２：リペアサドル
１３：空間部
２０：リークチェッカー
２１：ケース部
２２：回転軸
２３：回転磁石体
４４：スプリング部材
５０：識別表示
【図１】
2010106954.tif 000003
【図２】
2010106954.tif 000004
【図３】
2010106954.tif 000005
【図４】
2010106954.tif 000006
【図５】
2010106954.tif 000007
【図６】
2010106954.tif 000008
【図７】
2010106954.tif 000009
【図８】
2010106954.tif 000010
【図９】
2010106954.tif 000011
【図１０】
2010106954.tif 000012
【図１１】
2010106954.tif 000013
【図１２】
2010106954.tif 000014
【図１３】
2010106954.tif 000015